(57)【要約】【課題】  保守点検時等の作業性を向上させるとともに、ケーブルの配線作業を容易にし、かつケーブルの断線を防止する。【解決手段】  ロアーケース２の側部にカード搬送方向に延在するシャフト２８を横架し、このシャフト２８にアッパーケース３の側部が枢支されている。ロアーケース２側のプリント基板３３とアッパーケース３側のプリント基板３４とはケーブル３７によって電気的に接続されている。このケーブル３７はアッパーケース３およびロアーケース２のシャフト２８が設けられた側の側部に沿って、シャフト２８の近傍を通して配線されている。【選択図】  図６
2005107959.tif 000002
【特許請求の範囲】
【請求項１】
互いのカード搬送面が開閉自在で閉じることによりカード搬送路を形成するロアー側部材およびアッパー側部材と、
前記カード搬送路にカードを挿入するカード挿入口と、
前記カード搬送路に挿入されたカードのデータを処理するカード処理部とを備えたカード処理装置において、
前記カード搬送路を開閉するために前記アッパー側部材を回動自在に枢支する枢軸を前記カード搬送路の側方に設け、前記アッパー側部材と前記ロアー側部材とを電気的に接続するケーブルを、前記カード搬送路の前記枢軸が設けられた側方において前記枢軸の近傍を通すように配線したことを特徴とするカード処理装置。
【請求項２】
請求項１記載のカード処理装置において、
前記カード挿入口と前記カード搬送路を挟んで反対側にカードを排出するカード排出口を設けたことを特徴とするカード処理装置。
【発明の詳細な説明】
【技術分野】
【０００１】
本発明は、ロアーケースに対してアッパーケースを回動させることによりカード搬送路を開閉可能なカード処理装置に関するものである。
【背景技術】
【０００２】
従来のカード処理装置は、ロアーガイドユニットのロアーガイド板と、アッパーガイドユニットのアッパガイド板を対向させることによりカード搬送路が形成され、アッパーガイドユニットを回動させてカード搬送路を開くことにより、カード搬送路の清掃や保守点検を行っている（例えば、特許文献１参照）。なお、本出願人は、本明細書に記載した先行技術文献情報で特定される先行技術文献以外には、本発明に密接に関連する先行技術文献を出願時までに見付け出すことはできなかった。
【特許文献１】特開平７−２４９１０６号公報（段落「００１８」および「００２６」、図１）
【発明の開示】
【発明が解決しようとする課題】
【０００３】
上述した従来のカード処理装置においては、アッパーガイドユニットをカード搬送方向と同じ方向、すなわちカード搬送路の前後方向に開閉させる構造としているため、カード搬送路方向に長く形成されたアッパーガイドユニットを開くと、アッパーガイドユニットの頂部が高い位置に位置付けられてしまう。このため、保守点検時等において、カード処理装置を装置本体に装着したままの状態で行うことができず、一旦カード処理装置を装置本体から取り外し、保守点検後には取り付ける作業が必要になるため作業性が低下するという問題があった。また、後方からカードを排出しようとした場合には、アッパーガイドユニットとロアーガイドユニット間を電気的に接続するケーブルをカード搬送路の後方に配線することができないため、カード搬送路の側方に配線することになる。このようにケーブルを側方に配線するようにした場合、ケーブルの配線位置がアッパーガイドユニットの回動中心から離れてしまうので、アッパーガイドユニットの開閉時にケーブルを断線させてしまわないようにするために、ケーブルを必要以上の長さに形成しケーブルにいわゆる余長分を設ける必要ある。このため、ケーブルの配線作業を行う際にこの余長分が作業を煩雑にするだけではなく、余長分の一部がユニットの実装部品等に引っ掛かった場合には、アッパーガイドユニットの開閉時にケーブルが断線するという問題があった。
【０００４】
本発明は上記した従来の問題に鑑みなされたものであり、その目的とするところは、保守点検時等の作業性を向上させるとともに、ケーブルの配線作業を容易にし、かつケーブルの断線を防止することにある。
【課題を解決するための手段】
【０００５】
この目的を達成するために、請求項１に係る発明は、互いのカード搬送面が開閉自在で閉じることによりカード搬送路を形成するロアー側部材およびアッパー側部材と、前記カード搬送路にカードを挿入するカード挿入口と、前記カード搬送路に挿入されたカードのデータを処理するカード処理部とを備えたカード処理装置において、前記カード搬送路を開閉するために前記アッパー側部材を回動自在に枢支する枢軸を前記カード搬送路の側方に設け、前記アッパー側部材と前記ロアー側部材とを電気的に接続するケーブルを、前記カード搬送路の前記枢軸が設けられた側方において前記枢軸の近傍を通すように配線したものである。
また、請求項２に係る発明は、請求項１に係る発明において、前記カード挿入口と前記カード搬送路を挟んで反対側にカードを排出するカード排出口を設けたものである。
【発明の効果】
【０００６】
請求項１に係る発明によれば、カード搬送路を開いたときアッパー側部材の頂部が低くなるため、カード処理装置を装置本体に装着したままの状態で、カード搬送路の清掃や保守点検を行うことが可能になるため作業性が向上する。また、ケーブルに余長分を設ける必要がないため、ケーブルの配線作業が容易になるとともに、ケーブルの断線を防止することができる。
また、請求項２に係る発明によれば、カード排出口をケーブルで覆うことがないから、カード排出口からのカードの排出に支障をきたすようなことがない。
【発明を実施するための最良の形態】
【０００７】
以下、本発明の実施の形態を図に基づいて説明する。図１は本発明に係るカード処理装置の平面図、図２は図１におけるII-II 線断面図、図３は図１におけるIII 矢視図、図４は図１におけるIV矢視図、図５は図１におけるV-V 線断面図でカード搬送路が閉じた状態を示し、図６は図１におけるV-V 線断面図でカード搬送路が開いた状態を示し、図７は同じく側面図である。
【０００８】
図１および図２において、全体を符号１で示すカード処理装置は、ロアー部材としてのロアーケース２と、アッパー部材としてのアッパーケース３とによって形成されており、後述するように、アッパーケース３がロアーケース２に枢軸２８を介して回動自在に支持されている。ロアーケース２の上板４のカード搬送面４ａと、アッパーケース３の底板５のカード搬送面５ａとが対向するように閉じることにより、これら両カード搬送面４ａ，５ａによって矢印Ａ−Ｂ方向に延在するカード搬送路６が形成されている。このカード処理装置１のカード搬送方向、すなわち矢印Ａ−Ｂ方向の寸法Ｌ１は、搬送されるカードの幅方向、すなわち矢印Ｃ−Ｄ方向の寸法Ｌ２よりも大きく形成されている。
【０００９】
ロアーケース２の前端部には、カード挿入口部材７が取り付けられており、このカード挿入口部材７にはカード搬送路６に連通するカード挿入口７ａが設けられている。カード搬送路６の後端側、すなわちカード挿入口７ａとカード搬送路６を挟んで反対側には、カード排出口８が設けられている。１０はカード搬送用のモータであって、このモータ１０の駆動は減速歯車列１３およびベルト１４を介して駆動ローラ１１，１２に伝達されており、これら駆動ローラ１１，１２の上端はカード搬送路６の前、後端側のそれぞれにおいてロアーケース２の上板４の窓からカード搬送路６に臨んでいる。１５はダイヤルノブであって、カード搬送路６内でカードが詰まった場合に、手によってダイヤルノブ１５を回すことにより、手動によって駆動ローラ１１を回転させることができ、詰まったカードをカード挿入口７ａから排出することが可能になる。
【００１０】
１６はカード搬送路６の前端側に設けられたシャッタ、１８，１９はアッパーケース３の底板５の窓からカード搬送路６に臨み上記駆動ローラ１１，１２に対接するピンチローラである。２１はＩＣ接点２２を備えたカード処理部としてのＩＣ接点スライダであって、アッパーケース３の底板５に設けた窓５ｂからカード搬送路６に進退自在かつ矢印Ａ−Ｂ方向へ移動自在に支持され、図示を省略したガイド部材によって、カードの矢印Ａ方向への搬送に追従して矢印Ａ方向に移動するととも降下する。すなわち、このＩＣ接点スライダ２１は、引張りコイルばね２４によって矢印Ｂ方向へ付勢されており、ソレノイド２６によって揺動する揺動部材２５によって、前端側に設けた係合部２３がカード搬送路６に進出するように揺動する。したがって、カード搬送路６内を矢印Ａ方向に搬送されるカードの前端が係合部２３に係合し、カードの矢印Ａ方向への搬送に追従して矢印Ａ方向へ移動するとともに降下し、カードの電極にＩＣ接点２２が接触してカードに記録されたデータの処理が行われる。
【００１１】
次に、主に図３ないし図６を用いて、本発明の特徴であるカード搬送路６の開閉構造について説明する。
【００１２】
ロアーケース２の矢印Ｃ方向の端部で矢印Ａ−Ｂ方向の両端部には、矢印Ａ−Ｂ方向において互いに対向する二対の軸支承部２７ａ，２７ｂが一体に立設され、これら軸支承部２７ａ，２７ｂ間には枢軸としてのシャフト２８が、カード搬送路６の側方でカード搬送方向（矢印Ａ−Ｂ方向）と平行となるように横架されている。このシャフト２８には、アッパーケース３の矢印Ｃ方向の端部が枢支されており、アッパーケース３はこのシャフト２８を回動中心として、図４中時計方向へ角度αの範囲で回動自在に支持されている。このアッパーケース３は、シャフト２８の両端部に巻回された一対のねじりコイルばね２９，２９のねじりモーメントによって時計方向に回動するように付勢されている。
【００１３】
３０ａはアッパーケース３の前端部に矢印Ａ−Ｂ方向に移動自在に支持された開閉用摘みであって、図示を省略した付勢手段によって常時矢印Ａ方向に付勢されており、図７に示すようにフック部３０ｃを有するロックレバー３０ｂが一体的に設けられている。３０ｄはロアーケース２の側部に一体に突設された係合突起であって、この係合突起３０ｄにロックレバー３０ｂのフック部３０ｃが係合すると、ロアーケース２のカード搬送面４ａに対してアッパーケース３のカード搬送面５ａが対向し、カード搬送路６が閉じた状態すなわち、カード搬送路６が形成された状態を維持する。一方、開閉用摘み３０ａを指によって矢印Ｂ方向へ移動操作すると、ロックレバー３０ｂのフック部３０ｃと係合突起３０ｄとの係合が解除され、アッパーケース３が図６に示すようにねじりコイルばね２９のねじりモーメントによって回動しカード搬送路６が開く。
【００１４】
アッパーケース３の側板３１のシャフト２８に近接した部位には、図３に示すように、スリット状に形成したケーブル挿通孔３１ａが設けられており、ロアーケース２の上板４に断面がＬ字状に形成された底部３２のシャフト２８に近接した部位には、スリット状に形成したケーブル挿通孔３２ａが設けられている。３３はロアーケース２内に実装されたプリント基板、３４はアッパーケース３内に実装されたプリント基板で、これらプリント基板３３，３４間はそれぞれのコネクタ３５，３６を介してケーブル３７によって電気的に接続されている。コネクタ３５，３６はプリント基板３３，３４のシャフト２８が設けられた側の端部に実装されている。したがって、ケーブル３７はアッパーケース３およびロアーケース２のシャフト２８が設けられた側の側部に沿って配線され、シャフト２８の近傍を通してケーブル挿通孔３１ａ，３２ａを挿通させている。
【００１５】
このように、ケーブル３７を、アッパーケース３の枢軸であるシャフト２８が設けられた側においてシャフト２８の近傍を通すように配線したことにより、ケーブル３７に余長分を設ける必要がなくなり、ケーブル３７の配線作業が容易になるとともに、アッパーケース３の回動時に余長分を引っ掛けてケーブル３７を断線させてしまうようなこともない。
【００１６】
次に、このような構成のカード処理装置におけるカード処理動作について説明する。
【００１７】
予め、ロックレバー３０ｂのフック部３０ｃを、図７に示すように係合突起３０ｄに係合させ、アッパーケース３をねじりコイルばね２９のねじりモーメントに抗して、図５中両カード搬送面４ａ，５ａが互いに閉じカード搬送路６が形成された状態に保持する。この状態としてから、図２において、カード（図示せず）をカード挿入口７ａからカード挿入路６に挿入し、カードの前端がシャッタ１６を通過すると、センサ（図示せず）がこれを検知しモータ１０が正方向に駆動する。したがって、カードの前端が駆動ローラ１１とピンチローラ１８との対接部まで挿入されると、これら両ローラ１１，１８によって矢印Ａ方向へ搬送される。
【００１８】
カードが矢印Ａ方向へ搬送されると、ソレノイド２６が駆動し揺動部材２５の揺動によってＩＣ接点スライダ２１の係合部２３がカード搬送路６内に進出する。したがって、矢印Ａ方向へ搬送されるカードの前端が係合部２３に係合するので、カードの搬送に追従してＩＣ接点スライダ２１も矢印Ａ方向に移動し、同時に降下するので、ＩＣ接点スライダ２１のＩＣ接点２２がカードの電極と接触した状態で、モータ１０の駆動が停止しカードの搬送が停止する。ＩＣ接点スライダ２１のＩＣ接点２２とカードの電極との間でカードに記録されたデータが処理されると、モータ１０が逆方向に駆動し、駆動ローラ１１とピンチローラ１８とによって、カードが矢印Ｂ方向へ搬送され、カード挿入口７ａから排出される。
【００１９】
一方、ＩＣ接点スライダ２１のＩＣ接点２２とカードの電極との間でカードに記録されたデータが処理された結果、カード排出口８から排出する必要がある場合には、ソレノイド２６の駆動を解除し、揺動部材２５によるＩＣ接点スライダ２１への押圧を解除し、係合部２３をカード搬送路６から退避させる。次いで、モータ１０を正方向に駆動し、駆動ローラ１１とピンチローラ１８および駆動ローラ１２とピンチローラ１９とによってカードを矢印Ａ方向へ搬送し、カード排出口８から排出する。この場合、ケーブル３７がカード搬送路６の側方に配線されているために、カード排出口８をケーブル３７で覆うことがないから、カード排出口８からのカードの排出に支障をきたすようなことがない。
【００２０】
ここで、カード搬送路６の清掃や保守点検を行う場合には、開閉摘み３０ａを矢印Ｂ方向に移動操作することにより、図７においてロックレバー３０ｂのフック部３０ｃと係合突起３０ｄとの係合を解除する。アッパケース３は、ねじりコイルばね２９のねじりモーメントにより、図６に示すようにシャフト２８を回動中心として時計方向に回動し、カード搬送路６を開くので、この状態でカード搬送路６の清掃や保守点検を行う。このように、アッパーケース３をカード搬送路６の側方に設けたシャフト２８を回動中心として回動させるようにしたことにより、上述したようにカード処理装置１のカードの幅方向の寸法Ｌ２がカード搬送方向の寸法Ｌ１よりも小さく形成されているため、回動させたアッパーケース３の頂部の高さＨが、図４に示すように低くなる。
【００２１】
したがって、カード処理装置１の上方にアッパーケース３を回動させるためのスペースを大きく設ける必要がないから、カード処理装置１を装置本体（図示せず）に装着したままの状態で、カード搬送路６の清掃や保守点検を行うことが可能になるため作業性が向上する。また、アッパーケース３を開くのに、カード処理装置１の前端側に設けた開閉用摘み３０ａを操作するだけで、ねじりコイルばね２９のねじりモーメントによって行え、かつアッパーケース３を閉じるに、アッパーケース３の前端側を手によって把持して行えるため、従来のように、手をカード処理装置１の後端側にもっていくことがないから操作性が向上する。
【図面の簡単な説明】
【００２２】
【図１】本発明に係るカード処理装置の平面図である。
【図２】図１におけるII-II 線断面図である。
【図３】図１におけるIII 矢視図である。
【図４】図１におけるIV矢視図である。
【図５】図１におけるV-V 線断面図でカード搬送路が閉じた状態を示す。
【図６】図１におけるV-V 線断面図でカード搬送路が開いた状態を示す。
【図７】本発明に係るカード処理装置の側面図である。
【符号の説明】
【００２３】
１…カード処理装置、２…ロアーケース、３…アッパーケース、４ａ，５ａ…カード搬送面、６…カード搬送路、７ａ…カード挿入口、８…カード排出口、１１，１２…駆動ローラ、２１…ＩＣ接点スライダ、２２…ＩＣ接点、２７ａ，２７ｂ…軸支承部、２８…シャフト、３０ａ…開閉用摘み、３０ｂ…ロックレバー、３０ｄ…係合突起、３１ａ，３２ａ…ケーブル挿通孔、３３，３４…プリント基板、３７…ケーブル。
【図１】
2005107959.tif 000003
【図２】
2005107959.tif 000004
【図３】
2005107959.tif 000005
【図４】
2005107959.tif 000006
【図５】
2005107959.tif 000007
【図６】
2005107959.tif 000008
【図７】
2005107959.tif 000009